(57)【要約】    【課題】  記録媒体のライトプロテクトスイッチがオンされていても記録媒体へのデータの書き込みや記録媒体に記録されたデータの消去を行うことができるカメラおよび情報処理装置を提供する。    【解決手段】  本実施の形態の電子カメラ１では、記録媒体１３１のプロテクトスイッチ１３２が禁止位置に設定されていても、電子カメラ１側の設定によって、記録媒体１３１へのデータの記録や記録されたデータの消去（削除）を可能とする。すなわち、プロテクトスイッチ１３２によって設定される記録媒体１３１のライトプロテクトを、電子カメラ１側の設定によって解除する。【選択図】      図１
2007049283.tif 000002
【特許請求の範囲】
【請求項１】
データの書込処理とデータの消去処理とを含むデータ変更処理を禁止する第１の状態と当該データ変更処理を禁止しない第２の状態とに切り換えられる切換手段を有するとともにカメラ本体の撮像素子で撮像した被写体の画像データを記録可能な記録媒体を、着脱可能に装着する装着部と、
前記切換手段が前記第１の状態であるか、前記第２の状態であるかを検出する検出手段と、
前記検出手段によって前記切換手段が前記第１の状態であることが検出されている場合であっても、前記禁止されている前記データ変更処理の少なくとも一つを解除する例外手段を備えることを特徴とするカメラ。
【請求項２】
請求項１に記載のカメラにおいて、
前記例外手段により禁止が解除されるデータ変更処理は前記書込処理であることを特徴とするカメラ。
【請求項３】
請求項２に記載のカメラにおいて、
前記例外手段により前記書込処理の禁止が解除されていることを、報知する書込禁止解除報知手段をさらに備えていることを特徴とするカメラ。
【請求項４】
請求項２または請求項３に記載のカメラにおいて、
前記検出手段によって前記切換手段が前記第１の状態であることが検出されている場合であって、前記例外手段により前記書込処理の禁止が解除されていて前記消去処理の禁止が解除されていないとき、前記消去処理を指令する操作に応答して、前記消去処理が禁止されていることを報知する消去禁止報知手段をさらに備えることを特徴とするカメラ。
【請求項５】
請求項２に記載のカメラにおいて、
前記例外手段によって前記書込処理の禁止が解除されている場合、前記撮像素子の新たな撮像により生成される画像データの前記記録媒体への格納可能な数である残コマ数を表示する残コマ表示手段をさらに備えることを特徴とするカメラ。
【請求項６】
請求項１に記載のカメラにおいて、
前記例外手段により禁止が解除されるデータ変更処理は前記消去処理であることを特徴とするカメラ。
【請求項７】
請求項６に記載のカメラにおいて、
前記例外手段により前記消去処理の禁止が解除されていることを、報知する消去禁止解除報知手段をさらに備えていることを特徴とするカメラ。
【請求項８】
請求項６または請求項７に記載のカメラにおいて、
前記検出手段によって前記切換手段が前記第１の状態であることが検出されている場合であって、前記例外手段により前記消去処理の禁止が解除されていて前記書込処理の禁止が解除されていないとき、前記撮像素子による撮像を指示するレリーズ操作に応答して、前記書込処理が禁止されていることを報知するレリーズ禁止報知手段をさらに備えることを特徴とするカメラ。
【請求項９】
請求項６に記載のカメラにおいて、
前記撮像素子の新たな撮像により生成される画像データの前記記録媒体への格納可能な数である残コマ数を表示する残コマ表示手段と、
前記検出手段によって前記切換手段が前記第１の状態であることが検出されている場合であって、前記例外手段により前記消去処理の禁止が解除されていて前記書込処理の禁止が解除されていないときには、前記残コマ表示手段による前記残コマ数の表示を禁止する表示禁止手段をさらに備えることを特徴とするカメラ。
【請求項１０】
請求項１に記載のカメラにおいて、
前記例外手段により禁止が解除されるデータ変更処理は前記書込処理と消去処理であることを特徴とするカメラ。
【請求項１１】
請求項１，２，６，１０のいずれか一項に記載のカメラにおいて、
前記例外手段によって禁止を解除した前記データ変更処理を再び禁止する例外解除手段をさらに備えることを特徴とするカメラ。
【請求項１２】
データの書込処理とデータの消去処理とを含むデータ変更処理を禁止する第１の状態と当該データ変更処理を禁止しない第２の状態とに切り換えられる切換手段を有する記録媒体を着脱可能に装着する装着部と、
前記切換手段が第１の状態であるか、第２の状態であるかを検出する検出手段と、
前記検出手段によって前記切換手段が第１の状態であることが検出されている場合であっても、前記禁止されている前記データ変更処理の少なくとも一つを解除する例外手段を備えることを特徴とする情報処理装置。
【発明の詳細な説明】
【技術分野】
【０００１】
本発明は、着脱可能に装着される記録媒体にデータを記録させるカメラおよび情報処理装置に関する。
【背景技術】
【０００２】
たとえばカメラなどの情報処理装置に着脱可能に装着されて、データを記録する記録媒体が知られている。この記録媒体には、記録したデータの誤消去を防止するため、側面にライトプロテクトスイッチが設けられている（特許文献１参照）。
【０００３】
【特許文献１】特開２００１−１３５３８７号公報
【発明の開示】
【発明が解決しようとする課題】
【０００４】
この記録媒体を用いる情報処理装置では、記録媒体のライトプロテクトスイッチがオンされているときには、記録媒体へのデータの書き込みや記録媒体に記録されたデータの消去を行わないようにしている。そのため、記録媒体へのデータの書き込みや記録媒体に記録されたデータの消去を行うためには、情報処理装置から記録媒体を取り出して、プロテクトスイッチをオフしなければならず、煩わしい。
【課題を解決するための手段】
【０００５】
（１）  請求項１の発明によるカメラは、データの書込処理とデータの消去処理とを含むデータ変更処理を禁止する第１の状態と当該データ変更処理を禁止しない第２の状態とに切り換えられる切換手段を有するとともにカメラ本体の撮像素子で撮像した被写体の画像データを記録可能な記録媒体を、着脱可能に装着する装着部と、切換手段が第１の状態であるか、第２の状態であるかを検出する検出手段と、検出手段によって切換手段が第１の状態であることが検出されている場合であっても、禁止されているデータ変更処理の少なくとも一つを解除する例外手段を備えることを特徴とする。
（２）  請求項２の発明は、請求項１に記載のカメラにおいて、例外手段により禁止が解除されるデータ変更処理は書込処理であることを特徴とする。
（３）  請求項３の発明は、請求項２に記載のカメラにおいて、例外手段により書込処理の禁止が解除されていることを、報知する書込禁止解除報知手段をさらに備えていることを特徴とする。
（４）  請求項４の発明は、請求項２または請求項３に記載のカメラにおいて、検出手段によって切換手段が第１の状態であることが検出されている場合であって、例外手段により書込処理の禁止が解除されていて消去処理の禁止が解除されていないとき、消去処理を指令する操作に応答して、消去処理が禁止されていることを報知する消去禁止報知手段をさらに備えることを特徴とする。
（５）  請求項５の発明は、請求項２に記載のカメラにおいて、例外手段によって書込処理の禁止が解除されている場合、撮像素子の新たな撮像により生成される画像データの記録媒体への格納可能な数である残コマ数を表示する残コマ表示手段をさらに備えることを特徴とする。
（６）  請求項６の発明は、請求項１に記載のカメラにおいて、例外手段により禁止が解除されるデータ変更処理は消去処理であることを特徴とする。
（７）  請求項７の発明は、請求項６に記載のカメラにおいて、例外手段により消去処理の禁止が解除されていることを、報知する消去禁止解除報知手段をさらに備えていることを特徴とする。
（８）  請求項８の発明は、請求項６または請求項７に記載のカメラにおいて、検出手段によって切換手段が第１の状態であることが検出されている場合であって、例外手段により消去処理の禁止が解除されていて書込処理の禁止が解除されていないとき、撮像素子による撮像を指示するレリーズ操作に応答して、書込処理が禁止されていることを報知するレリーズ禁止報知手段をさらに備えることを特徴とする。
（９）  請求項９の発明は、請求項６に記載のカメラにおいて、撮像素子の新たな撮像により生成される画像データの記録媒体への格納可能な数である残コマ数を表示する残コマ表示手段と、検出手段によって切換手段が第１の状態であることが検出されている場合であって、例外手段により消去処理の禁止が解除されていて書込処理の禁止が解除されていないときには、残コマ表示手段による残コマ数の表示を禁止する表示禁止手段をさらに備えることを特徴とする。
（１０）  請求項１０の発明は、請求項１に記載のカメラにおいて、例外手段により禁止が解除されるデータ変更処理は書込処理と消去処理であることを特徴とする。
（１１）  請求項１１の発明は、請求項１，２，６，１０のいずれか一項に記載のカメラにおいて、例外手段によって禁止を解除したデータ変更処理を再び禁止する例外解除手段をさらに備えることを特徴とする。
（１２）  請求項１２の発明による情報処理装置は、データの書込処理とデータの消去処理とを含むデータ変更処理を禁止する第１の状態と当該データ変更処理を禁止しない第２の状態とに切り換えられる切換手段を有する記録媒体を着脱可能に装着する装着部と、切換手段が第１の状態であるか、第２の状態であるかを検出する検出手段と、検出手段によって切換手段が第１の状態であることが検出されている場合であっても、禁止されているデータ変更処理の少なくとも一つを解除する例外手段を備えることを特徴とする。
【発明の効果】
【０００６】
（１）  請求項１の発明によるカメラは、記録媒体を装着部から取り出して切換手段を第２の状態に切り換えなくても、禁止されているデータ変更処理が可能となるので、記録媒体を装着部から取り出す煩わしさがない。
（２）  請求項２の発明によるカメラは、記録媒体の記憶容量を有効に利用できる。
（３）  請求項３の発明によるカメラは、誤操作を防止できる。
（４）  請求項４の発明によるカメラは、撮影者に対して適切な操作を促すことができる。
（５）  請求項５の発明によるカメラは、撮影者が撮像可能枚数を認識できるので利便性が高い。
（６）  請求項６の発明によるカメラは、記録媒体の記憶容量を有効に利用できる。
（７）  請求項７の発明によるカメラは、削除すべきでない画像データの削除操作を行わないように注意を喚起できる。
（８）  請求項８の発明によるカメラは、適切な操作を撮影者に促すことができる。
（９）  請求項９の発明によるカメラは、適切な操作を撮影者に促すことができる。
（１０）  請求項１０の発明によるカメラは、記録媒体の記憶容量を有効に利用できる。
（１１）  請求項１１の発明によるカメラは、カメラの操作性が向上する。
（１２）  請求項１２の発明による情報処理装置は、記録媒体を装着部から取り出して切換手段を第２の状態に切り換えなくても、禁止されているデータ変更処理が可能となるので、記録媒体を装着部から取り出す煩わしさがない。
【発明を実施するための最良の形態】
【０００７】
図１〜１１を参照して、本発明をカメラに適用した一実施の形態を説明する。図１は、本実施の形態の電子カメラ１の構成を説明するブロック図である。演算回路１０１は、マイクロコンピュータなどによって構成される。演算回路１０１は、後述する各部から出力される信号を入力して所定の演算を行い、演算結果に基づく制御信号を各部へ出力する。演算回路１０１と後述する各部とは互いに接続されている。
【０００８】
撮像素子１２１は、ＣＣＤイメージセンサなどによって構成される。撮像素子１２１は、撮影用の交換レンズＬを通過した被写体光による像を撮像し、撮像信号を画像処理部１２３へ出力する。画像処理部１２３は、Ａ／Ｄ変換回路やＡＳＩＣなどによって構成される。画像処理部１２３は、アナログ撮像信号をディジタル信号に変換して、ディジタル変換後の画像データにホワイトバランス処理などの画像処理を行うほか、画像処理後の画像データを所定の形式で圧縮する圧縮処理、圧縮された画像データを伸長する伸長処理などを行う。
【０００９】
背面モニタ１１１は、たとえば、液晶表示モニタなどによって構成される。背面モニタ１１１は後述する記録媒体１３１に記録された画像データによる画像を再生表示するほか、電子カメラ１の各種設定メニューを表示する。背面モニタ１１１は、電子カメラ１の背面に設けられている。上面モニタ１１２は、演算回路１０１の指令によりシャッタ速度（シャッタ秒時）、絞り値、設定されているＡＦモード、残コマ数などの撮影情報を表示する。上面モニタ１１２は、電子カメラ１の上面（たとえば右肩付近）に設けられている。
【００１０】
残コマ数とは、記録媒体１３１の空き容量に基づいて算出された撮像可能な画像の枚数のことである。言い換えると、残コマ数とは、記録媒体１３１の空き容量に対して記録可能な画像データの数のことである。記録媒体１３１の空き容量が同じであっても、撮像画質により残コマ数は違ってくる。すなわち撮像画質が高画質に設定される場合は、低画質に設定される場合より残コマ数は少なくなる。
【００１１】
アクセスランプ１１３は記録媒体１３１の状態や設定を表示するためのランプである。アクセスランプ１１３は、記録媒体１３１が電子カメラ１に装着されると緑色に点灯する。アクセスランプ１１３は、記録媒体１３１へのデータの書き込みや消去、記録媒体１３１に記録されたデータの読み込みの際にその旨を表示するために橙色に点灯する。なお、アクセスランプ１１３は、後述するように設定されたライトプロテクト解除モード毎に異なる色で点灯する。
【００１２】
記録媒体１３１は、画像処理後の画像データが記録される記録媒体であり、図２に示すような、電子カメラ１に対して着脱可能なメモリカードなどによって構成される。記録媒体１３１には、記録媒体１３１に記録（格納）されたデータの消去や、記録媒体１３１へのデータの書き込みを、許可または禁止するためのプロテクトスイッチ１３２が設けられている。プロテクトスイッチ１３２が禁止位置に配置されている場合は、記録媒体１３１に対するデータの書き込みや消去といったデータの変更が禁止される。一方、プロテクトスイッチ１３２が許可位置に配置されている場合は、記録媒体１３１に対するデータの書き込みや消去といったデータの変更が許可される。記録媒体１３１は、装着部１４０に着脱可能に装着される。
【００１３】
上述のように、装着部１４０は記録媒体１３１を着脱可能に保持し、装着された記録媒体１３１に記録されたデータの読み込みや消去、記録媒体１３１へのデータの書き込みを行う。位置検出スイッチ１４１は、記録媒体１３１のプロテクトスイッチ１３２が許可位置にあるか禁止位置にあるかを検出するスイッチである。位置検出スイッチ１４１は、プロテクトスイッチ１３２が許可位置にあるときオン信号を出力し、プロテクトスイッチ１３２が禁止位置にあるときオフ信号を出力する。
【００１４】
レリーズスイッチ１４２は、不図示のレリーズボタンに連動してレリーズ操作信号を演算回路１０１に出力する。レリーズ操作信号には、レリーズボタンの半押し操作に対応する半押し操作信号と、半押し操作より深く押下される全押し操作に対応する全押し操作信号とがある。メニュースイッチ１４３は、ＡＦモードの設定をはじめとする撮影機能の設定メニューや、後述するライトプロテクト解除モードの設定メニューを背面モニタ１１１に表示させるための操作信号を出力する。
【００１５】
選択決定スイッチ１４６は、各種メニューの項目等を選択するための操作信号（後述）を出力する。具体的には、選択決定スイッチ１４６は十字キースイッチで構成される。十字キーの上部が押圧されると、選択決定スイッチ１４６は上方向信号を出力する。十字キーの下部が押圧されると、選択決定スイッチ１４６は下方向信号を出力する。十字キーの右部が押圧されると、選択決定スイッチ１４６は右方向信号を出力する。十字キーの左部が押圧されると、選択決定スイッチ１４６は左方向信号を出力する。
【００１６】
再生スイッチ１４４は、背面モニタ１１１に再生表示画像を表示させるための操作信号を出力する。削除スイッチ１４５は、撮像によって得られた画像データの記録不要を指示したり、記録媒体１３１に記録されているデータの削除を指示するための操作信号を出力する。電子カメラ１には、上述した構成要素のほかにも、測光や測距など撮像に関する構成要素が設けられているが、これらは公知であり、本願発明には直接関係しないので、説明を省略する。
【００１７】
上述した構成により、電子カメラ１は、不図示の電源スイッチの操作によって電子カメラ１の電源がオンされた状態では、レリーズボタンが押圧されると、シャッタ速度および絞り値を適宜決定して、被写体像を撮像する。再生スイッチ１４４が操作されると、記録媒体１３１に記録された画像データを背面モニタ１１１に表示する。また、削除スイッチ１４５が操作されると、記録媒体１３１に記録された画像データのうち、背面モニタ１１１に表示されている画像データを記録媒体１３１から削除する。
【００１８】
また、この電子カメラ１は、記録媒体１３１のプロテクトスイッチ１３２が禁止位置であっても、設定されたライトプロテクト解除モードに応じて、記録媒体１３１へのデータの書き込みや消去を可能とする。以下、詳述する。
【００１９】
−−−ライトプロテクトの解除について−−−
従来、プロテクトスイッチ１３２が禁止位置に設定された記録媒体１３１が電子カメラなど各種情報処理装置に装着されると、情報処理装置側でプロテクトスイッチ１３２が禁止位置に設定されていることを検出して、記録媒体１３１へのデータの書き込みや、記録媒体１３１に記録されているデータの消去を行わないこととしている。しかし、記録媒体１３１に空き容量がある場合や、明らかに不要なデータが記録媒体に記録されている場合がある。このような場合、ユーザーは記録媒体１３１を一旦情報処理装置から取り出して、プロテクトスイッチ１３２を禁止位置から許可位置に設定し直さなければ、記録媒体１３１へのデータの記録、および、記録されたデータの消去ができないため、煩わしい。
【００２０】
そこで、本実施の形態の電子カメラ１では、記録媒体１３１のプロテクトスイッチ１３２が禁止位置に設定されていても、電子カメラ１側の設定によって、記録媒体１３１へのデータの記録や記録されたデータの消去（削除）を可能とする。すなわち、プロテクトスイッチ１３２によって設定される記録媒体１３１のライトプロテクトを、電子カメラ１側の設定によって解除する。
【００２１】
なお、従来の電子カメラと同様に、本実施の形態の電子カメラ１では、記録媒体１３１のプロテクトスイッチ１３２が禁止位置に設定されていても、記録媒体１３１に記録された画像データを読み出して背面モニタ１１１に表示できる。すなわち、記録媒体１３１のプロテクトスイッチ１３２が禁止位置に設定されていても、記録媒体１３１に記録された画像データの再生は可能である。
【００２２】
本実施の電子カメラ１による記録媒体１３１のライトプロテクトの解除範囲と実行が可能となる操作は次のとおりである。
【００２３】
（１）  記録媒体１３１のプロテクトスイッチ１３２が禁止位置に設定されているときに、ユーザーの操作に従って演算回路１０１が書き込み禁止解除モードを設定すると、記録媒体１３１へのデータの記録禁止（書き込み禁止）が解除される。書き込み禁止解除モードが設定されると、書き込み禁止解除モードへ移行したことを示すために、演算回路１０１はアクセスランプ１１３の点灯色を赤色に変更する。また、図３（ａ）に示すように、演算回路１０１は背面モニタ１１１に書き込み禁止を解除した旨を表示させる。また、図４（ａ）に示すように、演算回路１０１は上面モニタ１１２にシャッタ秒時２１１や残コマ数２１２などの撮影情報を表示させる。書き込み禁止解除モードが設定されると、撮像が可能となり、また記録媒体１３１に記録された画像データの再生が可能となる。
【００２４】
（２）  記録媒体１３１のプロテクトスイッチ１３２が禁止位置に設定されているときに、ユーザーの操作に従って演算回路１０１が削除禁止解除モードを設定すると、記録媒体１３１に記録されているデータの削除禁止が解除される。削除禁止解除モードが設定されると、削除禁止解除モードへ移行したことを示すために、演算回路１０１はアクセスランプ１１３の点灯色を黄色に変更する。また、図３（ｂ）に示すように、演算回路１０１は背面モニタ１１１に削除禁止を解除した旨を表示させる。また、図４（ｂ）に示すように、演算回路１０１は上面モニタ１１２に記録媒体１３１に書き込みができない旨を示すプロテクト表示２１３，２１４を表示させる。削除禁止解除モードが設定されると、記録媒体１３１に記録された画像データの削除、および、記録媒体１３１に記録された画像データの再生が可能となる。
【００２５】
（３）  記録媒体１３１のプロテクトスイッチ１３２が禁止位置に設定されているときに、ユーザーの操作に従って演算回路１０１が書き込み・削除禁止解除モードを設定すると、記録媒体１３１へのデータの書き込み禁止、および、記録媒体１３１に記録されているデータの削除禁止が解除される。書き込み・削除禁止解除モードが設定されると、書き込み・削除禁止解除モードへ移行したことを示すために、演算回路１０１はアクセスランプ１１３の点灯色を青色に変更する。また、図３（ｃ）に示すように、演算回路１０１は背面モニタ１１１には書き込み禁止および削除禁止を解除した旨を表示させる。また、図４（ａ）に示すように、演算回路１０１は上面モニタ１１２にシャッタ秒時２１１や残コマ数２１２などの撮影情報を表示させる。書き込み・削除禁止解除モードが設定されると、撮像、記録媒体１３１に記録された画像データの削除、および、記録媒体１３１に記録された画像データの再生が可能となる。
【００２６】
（４）  上述したいずれのライトプロテクト解除モードにも設定されていないときには、電子カメラ１で実行が可能となる操作は、記録媒体１３１のプロテクトスイッチ１３２の設定位置に基づいて従来の電子カメラと同様となる。すなわち、記録媒体１３１のプロテクトスイッチ１３２が禁止位置に設定されている場合、撮像ができなくなる。また、記録媒体１３１に記録された画像データの削除もできなくなる。記録媒体１３１のプロテクトスイッチ１３２が許可位置に設定されている場合、撮像が可能となる。また、記録媒体１３１に記録された画像データの削除も可能となる。上述したように、プロテクトスイッチ１３２がいずれの位置であっても記録媒体１３１に記録された画像データの再生は可能である。
【００２７】
上述した各ライトプロテクト解除モードの設定は、メニュースイッチ１４３の操作によって背面モニタ１１１に表示されるライトプロテクト解除モードの設定メニューから任意のライトプロテクト解除モードを選択することで行われる。すなわち、メニュースイッチ１４３の操作に従って、演算回路１０１は図３（ｄ）に示すメニュー画面を背面モニタ１１１に表示させる。さらに選択決定スイッチ１４６が操作されることにより背面モニタ１１１に表示されているメニューの中から「プロテクト解除モード設定」が選択されて決定されると、演算回路１０１は図３（ｅ）に示すライトプロテクト解除モードの設定メニュー画面を背面モニタ１１１に表示させる。選択決定スイッチ１４６が操作されることにより、表示されたライトプロテクト解除モードの選択候補の中から任意のライトプロテクト解除モードが選択されて決定されると、演算回路１０１は選択されたライトプロテクト解除モードを設定する。
【００２８】
また、プロテクトスイッチ１３２が禁止位置に設定されている記録媒体１３１が電子カメラ１に装着されると、演算回路１０１は図３（ｆ）に示すように背面モニタ１１１にライトプロテクトを解除するか否かを尋ねる画面を表示させる。ここで選択決定スイッチ１４６の操作により「はい」が選択されて決定されると、演算回路１０１は図３（ｅ）に示すライトプロテクト解除モードの設定メニュー画面を背面モニタ１１１に表示させる。選択決定スイッチ１４６の操作により「いいえ」が選択されて決定されると、演算回路１０１は図３（ｇ）に示すように背面モニタ１１１に記録媒体１３１に対するデータの書き込み・削除が禁止されている旨を表示させる。また、演算回路１０１は図４（ｂ）に示すように上面モニタ１１２に記録媒体１３１に書き込みができない旨を示すプロテクト表示２１３，２１４を表示させる。
【００２９】
−−−フローチャート−−−
電子カメラ１の演算回路１０１で行われる処理について、図５〜１１のフローチャートを参照して説明する。図５〜１１のフローチャートによるプログラムは、電子カメラ１の不図示の電源スイッチがオンされると起動する。
【００３０】
ステップＳ１において、記録媒体１３１が電子カメラ１に装着されるまで待機する。ステップＳ１が肯定判断されるとステップＳ３へ進み、装着された記録媒体１３１のデータの格納状態など、記録媒体１３１の状態を確認してステップＳ５へ進む。ステップＳ５において、アクセスランプ１１３を緑色で点灯させてステップＳ７へ進む。ステップＳ７において、位置検出スイッチ１４１によって記録媒体１３１のプロテクトスイッチ１３２が禁止位置にあることを検出しているか否かを判断する。
【００３１】
ステップＳ７が肯定判断されるとステップＳ９へ進み、図３（ｆ）に示すようにライトプロテクトを解除するか否かを尋ねる旨の表示を背面モニタ１１１に表示してステップＳ１１へ進む。ステップＳ１１において、ステップＳ９で背面モニタ１１１に表示した画面表示に基づいて、ライトプロテクトを解除することが選択されたか否かを判断する。
【００３２】
ステップＳ１１が肯定判断されるとステップＳ１３へ進み、図３（ｅ）に示すようにライトプロテクト解除モードの設定メニュー画面を背面モニタ１１１に表示してステップＳ１５へ進む。ステップＳ１５において、ステップＳ１３で背面モニタ１１１に表示した画面表示に基づいて、ライトプロテクト解除モードが設定されるまで待機する。ステップＳ１５が肯定判断されるとステップＳ１７へ進み、設定されたライトプロテクト解除モードに応じたフラグを設定してステップＳ１９へ進む。ステップＳ１９において、ステップＳ１７で設定されたフラグに従ってステップＳ１５で設定されたライトプロテクト解除モードを判断する。
【００３３】
ステップＳ１９において、ステップＳ１７で設定されたフラグから、書き込み禁止解除モードが設定されたと判断すると、図６のステップＳ１０１へ進む。ステップＳ１０１において、アクセスランプ１１３の点灯色を赤色に変更してステップＳ１０３へ進む。ステップＳ１０３において、図３（ａ）に示すように書き込みのみ禁止を解除した旨の表示を背面モニタ１１１に表示してステップＳ１０５へ進む。ステップＳ１０５において、図４（ａ）に示すようにシャッタ秒時２１１や残コマ数２１２などの撮影情報を上面モニタ１１２に表示してステップＳ１０７へ進む。
【００３４】
ステップＳ１０７において、電源スイッチがオフされたか否かを判断する。ステップＳ１０７が肯定判断されると本プログラムを終了する。ステップＳ１０７が否定判断されるとステップＳ１０９へ進み、記録媒体１３１が電子カメラ１から抜脱されたか否かを判断する。ステップＳ１０９が肯定判断されると図５のステップＳ１へ戻る。ステップＳ１０９が否定判断されるとステップＳ８００のサブルーチンへ進む。ステップＳ８００のサブルーチンについては後述する。
【００３５】
ステップＳ８００のサブルーチンからメインルーチンへ戻り、ステップＳ１１３へ進むと、再生スイッチ１４４が操作されたか否かを判断する。
【００３６】
ステップＳ１１３が否定判断されるとステップＳ１１５へ進み、レリーズボタンが全押し操作されてレリーズスイッチ１４２から全押し操作信号が出力されたか否かを判断する。ステップＳ１１５が肯定判断されるとステップＳ１１７へ進み、撮像素子１２１で被写体像を撮像してステップＳ１１９へ進む。ステップＳ１１９において、ステップＳ１１７で撮像した被写体像の画像データを記録媒体１３１に記録する。ステップＳ１１９が実行されるとステップＳ１０７へ戻る。また、ステップＳ１１５が否定判断されるとステップＳ１０７へ戻る。
【００３７】
ステップＳ１１３が肯定判断されるとステップＳ１３１へ進み、記録媒体１３１に記録された画像データのうち、選択決定スイッチ１４６で選択された画像を背面モニタ１１１に表示してステップＳ１３３へ進む。ステップＳ１３３において、削除スイッチ１４５が操作されたか否かを判断する。ステップＳ１３３が否定判断されるとステップＳ１３５へ進み、レリーズボタンが半押し操作されてレリーズスイッチ１４２から半押し操作信号が出力されたか否かを判断する。ステップＳ１３５が否定判断されるとステップＳ１３１へ戻る。ステップＳ１３５が肯定判断されるとステップＳ１３７へ進み、ステップＳ１３１で背面モニタ１１１に表示した画像データの表示を終了してステップＳ１０７へ戻る。
【００３８】
ステップＳ１３３が肯定判断されるとステップＳ１３９へ進み、図３（ｊ）に示すように削除が禁止されている旨を背面モニタ１１１に表示してステップＳ１４１へ進む。ステップＳ１４１において、レリーズボタンが半押し操作されてレリーズスイッチ１４２から半押し操作信号が出力されたか否かを判断する。ステップＳ１４１が否定判断されるとステップＳ１３９へ戻る。ステップＳ１４１が肯定判断されるとステップＳ１４３へ進み、ステップＳ１３９で背面モニタ１１１に表示した削除が禁止されている旨の表示を終了してステップＳ１３３へ戻る。
【００３９】
図５のステップＳ１９において、ステップＳ１７で設定されたフラグから、削除禁止解除モードが設定されたと判断すると、図７のステップＳ２０１へ進む。ステップＳ２０１において、アクセスランプ１１３の点灯色を黄色に変更してステップＳ２０３へ進む。ステップＳ２０３において、図４（ｂ）に示すように記録媒体１３１に書き込みができない旨を示すプロテクト表示２１３，２１４を上面モニタ１１２に表示してステップＳ２０５へ進む。ステップＳ２０５において、図３（ｂ）に示すように消去のみ禁止を解除した旨の表示を背面モニタ１１１に表示してステップＳ２０７へ進む。
【００４０】
ステップＳ２０７において、図３（ｉ）に示すように記録媒体１３１に記録された画像データを選択して削除するための選択画像削除画面を表示する。この選択画像削除画面において、２３１、２３２は記録媒体１３１に記録された画像データのサムネイル表示である。サムネイルの枠が強調して表示されているサムネイル表示２３２は、消去対象画像データとして選択されている画像データのサムネイル表示である。
【００４１】
ステップＳ２０７が実行されるとステップＳ８００のサブルーチンへ進む。ステップＳ８００のサブルーチンからメインルーチンへ戻り、ステップＳ２０８に進むと、ステップＳ２０８において、ステップＳ２０７で表示した選択画像削除画面が背面モニタ１１１に表示されているか否かを判断する。ステップＳ２０８が否定判断されると後述するステップＳ２１３へ進む。
【００４２】
ステップＳ２０８が肯定判断されるとステップＳ２０９に進み、レリーズボタンが半押し操作されてレリーズスイッチ１４２から半押し操作信号が出力されたか否かを判断する。ステップＳ２０９が肯定判断されるとステップＳ２１１へ進み、ステップＳ２０７で背面モニタ１１１に表示した選択画像削除画面の表示を終了してステップＳ２１３へ進む。ステップＳ２１３において、図５のステップＳ１７で設定したフラグをリセットして図５のステップＳ９へ戻る。
【００４３】
ステップＳ２０９が否定判断されるとステップＳ２１７へ進み、削除スイッチ１４５が操作されたか否かを判断する。ステップＳ２１７が否定判断されるとステップＳ８００のサブルーチンへ戻る。ステップＳ２１７が肯定判断されるとステップＳ２１９へ進み、ステップＳ２０７で背面モニタ１１１に表示した選択画像削除画面のサムネイル表示のうち、選択決定スイッチ１４６によって選択されたサムネイル表示２３２に対応する画像データを記録媒体１３１から削除してステップＳ２１３へ進む。
【００４４】
図５のステップＳ１９において、ステップＳ１７で設定されたフラグから、書き込み・削除禁止解除モードが設定されたと判断すると、図８のステップＳ３０１へ進む。ステップＳ３０１において、アクセスランプ１１３の点灯色を青色に変更してステップＳ３０３へ進む。ステップＳ３０３において、図３（ｃ）に示すように書き込み禁止および削除禁止を解除した旨の表示を背面モニタ１１１に表示してステップＳ３０５へ進む。ステップＳ３０５において、図４（ａ）に示すようにシャッタ秒時２１１や残コマ数２１２などの撮影情報を上面モニタ１１２に表示してステップＳ８００のサブルーチンへ進む。
【００４５】
ステップＳ８００のサブルーチンからメインルーチンへ戻り、ステップＳ３０７に進むと、ステップＳ３０７において、レリーズボタンが全押し操作されてレリーズスイッチ１４２から全押し操作信号が出力されたか否かを判断する。ステップＳ３０７が肯定判断されるとステップＳ３１９へ進み、撮像素子１２１で被写体像を撮像し、撮像した被写体像のデータを記録媒体１３１に記録してステップＳ８００のサブルーチンへ戻る。
【００４６】
ステップＳ３０７が否定判断されるとステップＳ３０９へ進み、再生スイッチ１４４が操作されたか否かを判断する。ステップＳ３０９が否定判断されるとステップＳ８００のサブルーチンへ戻る。ステップＳ３０９が肯定判断されるとステップＳ３１１へ進み、記録媒体１３１に記録された画像データのうち、選択決定スイッチ１４６で選択された画像データの画像を背面モニタ１１１に表示してステップＳ３１３へ進む。ステップＳ３１３において、削除スイッチ１４５が操作されたか否かを判断する。ステップＳ３１３が肯定判断されるとステップＳ３２１へ進み、ステップＳ３１１で背面モニタ１１１に表示した画像に対応する画像データを記録媒体１３１から削除してステップＳ８００のサブルーチンへ戻る。
【００４７】
ステップＳ３１３が否定判断されるとステップＳ３１５へ進み、レリーズボタンが半押し操作されてレリーズスイッチ１４２から半押し操作信号が出力されたか否かを判断する。ステップＳ３１５が否定判断されるとステップＳ３１３へ戻る。ステップＳ３１５が肯定判断されるとステップＳ３１７へ進み、ステップＳ３１１で背面モニタ１１１に表示した画像の表示を消去してステップＳ８００のサブルーチンへ戻る。
【００４８】
図５のステップＳ７が否定判断されると図９のステップＳ６０１へ進む。ステップＳ６０１において、アクセスランプ１１３の点灯色を緑色に変更してステップＳ６０３へ進む。ステップＳ６０３において、図４（ａ）に示すようにシャッタ秒時２１１や残コマ数２１２などの撮影情報を上面モニタ１１２に表示してステップＳ８００のサブルーチンへ進む。
【００４９】
ステップＳ８００のサブルーチンからメインルーチンへ戻り、ステップＳ６０５に進むと、ステップＳ６０５において、レリーズボタンが全押し操作されてレリーズスイッチ１４２から全押し操作信号が出力されたか否かを判断する。ステップＳ６０５が肯定判断されるとステップＳ６１７へ進み、撮像素子１２１で被写体像を撮像し、撮像した被写体像のデータを記録媒体１３１に記録してステップＳ８００のサブルーチンへ戻る。
【００５０】
ステップＳ６０５が否定判断されるとステップＳ６０７へ進み、再生スイッチ１４４が操作されたか否かを判断する。ステップＳ６０７が否定判断されるとステップＳ８００のサブルーチンへ戻る。ステップＳ６０７が肯定判断されるとステップＳ６０９へ進み、記録媒体１３１に記録された画像データのうち、不図示の選択スイッチで選択された画像データの画像を背面モニタ１１１に表示してステップＳ６１１へ進む。ステップＳ６１１において、削除スイッチ１４５が操作されたか否かを判断する。ステップＳ６１１が肯定判断されるとステップＳ６１９へ進み、ステップＳ６０９で背面モニタ１１１に表示した画像に対応する画像データを記録媒体１３１から消去してステップＳ８００のサブルーチンへ戻る。
【００５１】
ステップＳ６１１が否定判断されるとステップＳ６１３へ進み、レリーズボタンが半押し操作されてレリーズスイッチ１４２から半押し操作信号が出力されたか否かを判断する。ステップＳ６１３が否定判断されるとステップＳ６１１へ戻る。ステップＳ６１３が肯定判断されるとステップＳ６１５へ進み、ステップＳ６０９で背面モニタ１１１に表示した画像の表示を終了してステップＳ８００のサブルーチンへ戻る。
【００５２】
図５のステップＳ１１が否定判断されると図１０のステップＳ７０１へ進む。ステップＳ７０１において、アクセスランプ１１３の点灯色を緑色に変更してステップＳ７０３へ進む。ステップＳ７０３において、図３（ｇ）に示すように記録媒体１３１がライトプロテクトされている旨の表示を背面モニタ１１１に表示してステップＳ７０５へ進む。ステップＳ７０５において、図４（ｂ）に示すように記録媒体１３１に書き込みができない旨を示すプロテクト表示２１３，２１４を上面モニタ１１２に表示してステップＳ８００のサブルーチンへ進む。
【００５３】
ステップＳ８００のサブルーチンからメインルーチンへ戻り、ステップＳ７０７に進むと、ステップＳ７０７において、レリーズボタンが全押し操作されてレリーズスイッチ１４２から全押し操作信号が出力されたか否かを判断する。
【００５４】
ステップＳ７０７が否定判断されるとステップＳ７０９へ進み、再生スイッチ１４４が操作されたか否かを判断する。ステップＳ７０９が否定判断されるとステップＳ８００のサブルーチンへ戻る。ステップＳ７０９が肯定判断されるとステップＳ７１１へ進み、記録媒体１３１に記録された画像データのうち、不図示の選択スイッチで選択された画像データの画像を背面モニタ１１１に表示してステップＳ７１３へ進む。ステップＳ７１３において、削除スイッチ１４５が操作されたか否かを判断する。
【００５５】
ステップＳ７１３が否定判断されるとステップＳ７１５へ進み、レリーズボタンが半押し操作されてレリーズスイッチ１４２から半押し操作信号が出力されたか否かを判断する。ステップＳ７１５が否定判断されるとステップＳ７１３へ戻る。ステップＳ７１５が肯定判断されるとステップＳ７１７へ進み、ステップＳ７１１で背面モニタ１１１に表示した画像の表示を消去してステップＳ８００のサブルーチンへ戻る。
【００５６】
ステップＳ７０７が肯定判断されるとステップＳ７１９へ進み、図３（ｋ）で示すように記録媒体１３１がライトプロテクトされていて撮影ができない旨の表示を背面モニタ１１１に表示してステップＳ７２１へ進む。ステップＳ７２１において、レリーズボタンが半押し操作されてレリーズスイッチ１４２から半押し操作信号が出力されるまで待機する。ステップＳ７２１が肯定判断されるとステップＳ７２３へ進み、ステップＳ７１９で背面モニタ１１１に表示した撮影ができない旨の表示を終了してステップＳ８００のサブルーチンへ戻る。
【００５７】
ステップＳ７１３が肯定判断されるとステップＳ７２５へ進み、図３（ｊ）で示すように記録媒体１３１がライトプロテクトされていて画像データの削除ができない旨の表示を背面モニタ１１１に表示してステップＳ７２７へ進む。ステップＳ７２７において、レリーズボタンが半押し操作されてレリーズスイッチ１４２から半押し操作信号が出力されるまで待機する。ステップＳ７２７が肯定判断されるとステップＳ７２９へ進み、ステップＳ７２５で背面モニタ１１１に表示した削除ができない旨の表示を終了してステップＳ８００のサブルーチンへ戻る。
【００５８】
−−−ステップＳ８００のサブルーチン−−−
図１１はステップＳ８００のサブルーチンを示すフローチャートである。図５〜１０の各メインルーチンからステップＳ８００のサブルーチンへ進むと、ステップＳ８０１において、メニュースイッチ１４３が操作されたか否かを判断する。ステップＳ８０１が否定判断されるとメインルーチンへ戻る。ステップＳ８０１が肯定判断されるとステップＳ８０３へ進み、現在設定されているライトプロテクト解除モードをフラグに基づいて判断する。
【００５９】
ステップＳ８０３において、書き込み禁止解除モードが設定されているかライトプロテクトを解除することが選択されていないと判断されると、ステップＳ８１１へ進み、図３（ｈ）に示すようにカードフォーマットの項目２２１と削除の項目２２２とをグレーで表示するメニュー画面を背面モニタ１１１に表示してステップＳ８１３へ進む。ステップＳ８１３において、ステップＳ８１１でグレーで表示したカードフォーマットの項目２２１と削除の項目２２２とを選択できないように設定してステップＳ８１５へ進む。ステップＳ８１５において、削除スイッチ１４５が操作されても画像データが削除されないように削除スイッチ１４５を無効化する。
【００６０】
ステップＳ８０３において、消去禁止解除モードまたは書き込み・削除禁止解除モードが設定されていると判断されると、ステップＳ８０５へ進み、図３（ｄ）に示すメニュー画面を背面モニタ１１１に表示する。
【００６１】
ステップＳ８１５が実行されるかステップＳ８０５が実行されるとステップＳ８０７へ進み、レリーズボタンが半押し操作されてレリーズスイッチ１４２から半押し操作信号が出力されたか否かを判断する。ステップＳ８０７が肯定判断されるとステップＳ８２１へ進み、背面モニタ１１１に表示したメニュー画面の表示を終了してメインルーチンに戻る。
【００６２】
ステップＳ８０７が否定判断されるとステップＳ８３１へ進み、背面モニタ１１１に表示したメニュー表示の設定メニューからいずれかの設定メニューが選択されたか否かを判断する。ステップＳ８３１が否定判断されるとステップＳ８０７へ戻る。ステップＳ８３１が肯定判断されるとステップＳ８３３へ進み、選択された設定メニューが「ライトプロテクト解除モード設定」あるか否かを判断する。ステップＳ８３３が否定判断されるとステップＳ８４３へ進み、選択された設定メニューの処理を実行してステップＳ８０１へ戻る。
【００６３】
ステップＳ８３３が肯定判断されるとステップＳ８３５へ進み、図３（ｌ）に示すようにライトプロテクト解除モードの設定メニュー画面を背面モニタ１１１に表示する。なお、図３（ｌ）に示したライトプロテクト解除モードの設定メニュー画面には、ライトプロテクトを解除しないという選択肢２４１が設けられている点で、図３（ｅ）に示したライトプロテクト解除モードの設定メニュー画面とは異なっている。
【００６４】
ステップＳ８３５が実行されるとステップＳ８３７へ進み、ステップＳ８３５で背面モニタ１１１に表示した画面表示に基づいて、いずれかのモードが設定されるまで待機する。ステップＳ８３７が肯定判断されるとステップＳ８３９へ進み、設定されたライトプロテクト解除モードに応じたフラグを設定してステップＳ８４１へ進む。ステップＳ８４１において、ステップＳ８３９で設定されたフラグに従ってメインルーチンへ戻る。
【００６５】
上述した電子カメラ１では、次の作用効果を奏する。
（１）  記録媒体１３１のプロテクトスイッチ１３２が禁止位置に設定されていても、記録媒体１３１への画像データの記録や、記録された画像データの削除を可能とするように構成した。これにより、電子カメラ１から記録媒体１３１を取り出して、プロテクトスイッチ１３２を許可位置に設定し直さなくても撮像、すなわち、記録媒体１３１への画像データの書き込みや、記録媒体１３１に記録された画像データの消去ができるので、電子カメラ１から記録媒体１３１を取り出す煩わしさがなくなり、利便性が高い。
【００６６】
（２）  書き込み禁止解除モードに設定することで、記録媒体１３１のプロテクトスイッチ１３２が禁止位置に設定されていても、記録媒体１３１への画像データの記録を可能とするように構成した。これにより、記録媒体１３１に記録された画像データの誤消去を防止できるとともに、記録媒体１３１の空き容量を有効に利用して撮像できるので、データ保護の信頼性の高い電子カメラを実現できる。
【００６７】
（３）  書き込み禁止解除モード設定時には、アクセスランプ１１３の点灯色が赤色に変更されるように構成した。これにより、撮影者が書き込み禁止解除モードへ移行したことを認識できる。
【００６８】
（４）  書き込み禁止解除モード設定時には、すなわち書き込み禁止は解除されるが削除禁止は解除されない場合は、削除スイッチ１４５が操作されると削除が禁止されている旨を背面モニタ１１１に表示するように構成した。これにより、撮影者が誤操作したことを認識できるので、撮影者に対して適切な操作を促すことができる。
【００６９】
（５）  書き込み禁止解除モードおよび書き込み・削除禁止解除モード設定時には、上面モニタ１１２にはシャッタ秒時２１１や残コマ数２１２などの撮影情報が表示されるように構成した。これにより、撮影者がシャッタ秒時や絞り値、撮像可能枚数などを認識できるので利便性が高い。
【００７０】
（６）  削除禁止解除モードに設定することで、記録媒体１３１のプロテクトスイッチ１３２が禁止位置に設定されていても、記録媒体１３１に記録された画像データの削除を可能とするように構成した。これにより、電子カメラ１から記録媒体１３１を取り出して、プロテクトスイッチ１３２を許可位置に設定し直さなくても、明らかに保存しておく必要のない画像データを削除できるので、記録媒体１３１の記憶容量を有効に活用できる。また、削除禁止解除モードを設定するためには、いくつかの操作手順を踏まなければ設定できないため、削除すべきでない画像データを誤って削除してしまう可能性が低い。
【００７１】
（７）  削除禁止解除モード設定時には、アクセスランプ１１３の点灯色が黄色に変更されるように構成した。また、削除禁止解除モード設定時には、上面モニタ１１２に、記録媒体１３１に書き込みができない旨を示すプロテクト表示２１３，２１４が表示されるように構成した。これにより、撮影者が削除禁止解除モードへ移行したことを認識できるので、削除すべきでない画像データの削除操作を行わないように注意を喚起できる。
【００７２】
（８）  削除禁止解除モード設定時には、すなわち削除禁止は解除されるが書き込み禁止は解除されない場合は、上面モニタ１１２には残コマ表示がされないように構成した。これにより、撮影できないことを撮影者に報知できるので、たとえば、シャッターチャンスの到来を待っているときに、あらかじめ撮影可能な他のモードに設定しなおすなど、適切な操作を撮影者に促すことができる。
【００７３】
（９）  書き込み・削除禁止解除モードに設定することで、記録媒体１３１のプロテクトスイッチ１３２が禁止位置に設定されていても、記録媒体１３１への画像データの記録、および、記録媒体１３１に記録された画像データの削除を可能とするように構成した。これにより、電子カメラ１から記録媒体１３１を取り出して、プロテクトスイッチ１３２を許可位置に設定し直さなくても撮像、すなわち、記録媒体１３１への画像データの書き込みや、記録媒体１３１に記録された画像データの消去ができるので、記録媒体１３１の記憶容量を有効に活用できる。
【００７４】
（１０）  設定されたライトプロテクト解除モードに応じて、上面モニタ１１２に残コマ表示を行うように構成した。これにより、撮影者が上面モニタ１１２を確認するだけで撮像可能か否かを判断できるので、利便性が高い。
【００７５】
（１１）  一旦解除したライトプロテクトを再び設定し直すことができるように構成した。これにより、状況に応じてライトプロテクトの解除および設定できるので、電子カメラ１の操作性が向上する。
【００７６】
−−−変形例−−−
（１）  上述の説明における削除禁止解除モード移行時に、レリーズボタンが全押し操作されると、すなわち撮像が指示されると撮像ができない旨の表示を背面モニタ１１１に表示するようにしてもよい。また、再生スイッチ１４４が操作されると、記録媒体１３１に記録された画像データのうち、選択決定スイッチ１４６で選択された画像が背面モニタ１１１に表示されるようにしてもよい。このように動作する電子カメラ１の演算回路１０１で行われる処理について、図１２のフローチャートを参照して説明する。
【００７７】
ステップＳ２０１からステップＳ２０８まで、および、ステップＳ２０９，Ｓ２１１，Ｓ２１７，Ｓ２１９は、図７に示したフローチャートと同じであるので説明を省略する。ステップＳ２０８が肯定判断されるとステップＳ２０９に進む。ステップＳ２０８が否定判断されるか、ステップＳ２１１が実行されるか、ステップＳ２１９が実行されるとステップＳ９０７に進み、レリーズボタンが全押し操作されてレリーズスイッチ１４２から全押し操作信号が出力されたか否かを判断する。
【００７８】
ステップＳ９０７が否定判断されるとステップＳ９０９へ進み、再生スイッチ１４４が操作されたか否かを判断する。ステップＳ９０９が否定判断されるとステップＳ８００のサブルーチンへ戻る。ステップＳ９０９が肯定判断されるとステップＳ９１１へ進み、記録媒体１３１に記録された画像データのうち、選択決定スイッチ１４６で選択された画像データの画像を背面モニタ１１１に表示してステップＳ９１３へ進む。ステップＳ９１３において、削除スイッチ１４５が操作されたか否かを判断する。
【００７９】
ステップＳ９１３が否定判断されるとステップＳ９１５へ進み、レリーズボタンが半押し操作されてレリーズスイッチ１４２から半押し操作信号が出力されたか否かを判断する。ステップＳ９１５が否定判断されるとステップＳ９１３へ戻る。ステップＳ９１５が肯定判断されるとステップＳ９１７へ進み、ステップＳ９１１で背面モニタ１１１に表示した画像の表示を消去してステップＳ８００のサブルーチンへ戻る。
【００８０】
ステップＳ９０７が肯定判断されるとステップＳ９１９へ進み、図３（ｋ）で示すように記録媒体１３１がライトプロテクトされていて撮影ができない旨の表示を背面モニタ１１１に表示してステップＳ９２１へ進む。ステップＳ９２１において、レリーズボタンが半押し操作されてレリーズスイッチ１４２から半押し操作信号が出力されるまで待機する。ステップＳ９２１が肯定判断されるとステップＳ９２３へ進み、ステップＳ９１９で背面モニタ１１１に表示した撮影ができない旨の表示を消去してステップＳ８００のサブルーチンへ戻る。
【００８１】
ステップＳ９１３が肯定判断されるとステップＳ９２５へ進み、ステップＳ９１１で背面モニタ１１１に表示した画像に対応する画像データを記録媒体１３１から消去してステップＳ８００のサブルーチンへ戻る。
【００８２】
この電子カメラ１では、削除禁止解除モードに移行した後に、レリーズボタンが全押し操作されると（ステップＳ９０７肯定判断）、図３（ｋ）で示すように、背面モニタ１１１に記録媒体１３１がライトプロテクトされていて撮影ができない旨が表示される（ステップＳ９１９）。これにより、撮影者が誤操作したことを認識できるので、撮影者に対して適切な操作を促すことができる。
【００８３】
（２）  上述の説明では、メニュースイッチ１４３の操作によって、図３（ｄ）に示すメニュー画面を呼び出すことでライトプロテクト解除モードを設定するようにしているが、たとえば、押圧操作によって直接ライトプロテクト解除モードの設定状態に移行するように、すなわち、ライトプロテクト解除モードの設定メニュー画面（図３（ｌ））を平面モニタ１１１に表示するように、専用のスイッチを設けてもよい。また、専用のスイッチではなく、たとえば、既設のスイッチを２つ同時に操作することで、ライトプロテクト解除モードの設定状態に移行するようにしてもよい。
【００８４】
（３）  上述の説明では、ライトプロテクト解除モード毎にアクセスランプ１１３の点灯色を変更するように構成したが、アクセスランプ１１３の点灯色以外にも、ライトプロテクト解除モード毎にアクセスランプ１１３の点滅タイミングを変更するように構成してもよい。また、いずれかのライトプロテクト解除モードに移行している間は、背面モニタ１１１を電子ビューファインダーとして使用している間も、撮像素子１２１が捉えている被写体像の画像とともに設定されているライトプロテクト解除モードの種類を示す表示を背面モニタ１１１に常時表示するようにしてもよい。また、設定されているライトプロテクト解除モードの種類を示す表示を上面モニタ１１２に常時表示するようにしてもよい。
【００８５】
（４）  上述した各実施の形態および変形例は、それぞれ組み合わせてもよい。
【００８６】
なお、以上の説明はあくまで一例であり、発明を解釈する際、上記の実施形態の記載事項と特許請求の範囲の記載事項の対応関係になんら限定も拘束もされない。
【図面の簡単な説明】
【００８７】
【図１】本実施の形態の電子カメラ１の構成を説明するブロック図である。
【図２】記録媒体１３１の外観を示す図である。
【図３】背面モニタ１１１に表示される画面を示す図である。
【図４】上面モニタ１１２に表示される画面を示す図である。
【図５】演算回路１０１で行われる処理を示すフローチャートである。
【図６】演算回路１０１で行われる処理を示すフローチャートである。
【図７】演算回路１０１で行われる処理を示すフローチャートである。
【図８】演算回路１０１で行われる処理を示すフローチャートである。
【図９】演算回路１０１で行われる処理を示すフローチャートである。
【図１０】演算回路１０１で行われる処理を示すフローチャートである。
【図１１】演算回路１０１で行われる処理を示すフローチャートである。
【図１２】演算回路１０１で行われる処理を示すフローチャートの変形例である。
【符号の説明】
【００８８】
１  電子カメラ                            １０１  演算回路
１１１  背面モニタ                        １１２  上面モニタ
１１３  アクセスランプ                    １２１  撮像素子
１３１  記録媒体                          １３２  プロテクトスイッチ
１４０  装着部                            １４１  位置検出スイッチ
【図１】
2007049283.tif 000003
【図２】
2007049283.tif 000004
【図３】
2007049283.tif 000005
【図４】
2007049283.tif 000006
【図５】
2007049283.tif 000007
【図６】
2007049283.tif 000008
【図７】
2007049283.tif 000009
【図８】
2007049283.tif 000010
【図９】
2007049283.tif 000011
【図１０】
2007049283.tif 000012
【図１１】
2007049283.tif 000013
【図１２】
2007049283.tif 000014